(57)【要約】【課題】記録再生装置の姿勢が記録に適さないと判断した場合には、記録を停止し電源オフ状態に移行するため、記録した動画を確認するためには、電源が供給されるのを待たなければならない。そのため、記録した動画を素早く確認できないという課題があった。【解決手段】姿勢検出手段１０１によって検出した姿勢検出結果から現在の記録再生装置の姿勢を判定する姿勢判定手段１０２と、姿勢判定手段１０２の結果によりモードの切り換えを行うモード制御手段１０３とを備え、現在の記録再生装置の姿勢が記録可能な姿勢であると判断した場合には、モード制御手段１０３によって記録モードに切り換え、記録に適さない姿勢であっても再生可能な姿勢であると判定した場合には、モード制御手段１０３によって再生モードに切り換える。【選択図】図１
2007259375.tif 000002
【特許請求の範囲】
【請求項１】
ユーザの操作に対応するモードを持つ記録再生装置において、
入力された信号を記録媒体に記録する記録手段と、
前記記録媒体のデータを再生する再生手段と、
当該記録再生装置の姿勢を検出する姿勢検出手段と、
前記姿勢検出手段の検出結果に基づいて、前記モードを切り換えるモード制御手段とを備えた記録再生装置。
【請求項２】
前記モード制御手段は、前記姿勢検出手段による検出結果と前記モードの切り換えの履歴とに基づき、前記モードを制御する請求項１記載の記録再生装置。
【発明の詳細な説明】
【技術分野】
【０００１】
本発明は、記録関連操作のみ実行可能な記録モード、再生関連操作のみ実行可能な再生モード等の複数のモードを持つ記録再生装置に関する。
【背景技術】
【０００２】
近年、光ディスクや半導体メモリなどの記録媒体に、映像信号をファイル化して記録する装置が一般的になってきている。このような記録再生装置では、電源をオンにしてからの起動に時間がかかり、一度電源をオフにするとすぐに記録できない場合がある。このため、ユーザは記録チャンスを逃さないために、電源がオンで録画操作可能な状態にし続けることが想定されるが、そのままうっかり録画開始ボタンに触れた場合には、ユーザが意図しない動画を記録し続けることになる。
【０００３】
このような問題を解決するために、特許文献１では、記録再生装置の姿勢が記録可能な姿勢か、記録に適さない姿勢（例えば真下の地面を取っている姿勢）かを検出できる姿勢検出手段を備えた記録再生装置を提案している。このような構成によれば、記録が開始されてから、記録再生装置の姿勢を検出して記録可能な姿勢かどうかを判断し、記録に適さない姿勢であると判断した場合には、記録を終了することにより、ユーザが意図しない記録を防止するとともに、無駄な電力の消費を防ぐことが可能である。
【特許文献１】特開平５―３２８１７７号公報
【発明の開示】
【発明が解決しようとする課題】
【０００４】
上記のように、従来の記録再生装置は、記録に適さない姿勢と判断した場合には、記録の停止や電源オフ状態に移行する。このような状態では、記録した動画を確認するためには、電源が供給されるのを待たなければならない。さらに、従来の記録再生装置は、記録関連の操作が実行可能な記録モード、再生関連の操作が実行可能な再生モード等の複数のモードを有しており、モードを変更するにあたって、ユーザによる操作が必要となる。したがって、ユーザが自身で記録を終了した場合であっても、記録した動画を確認するためには、記録モードから再生モードに変更するといった操作が必要となる。このような理由により、記録した動画を素早く確認できないという課題があった。
【０００５】
そこで本発明の記録再生装置は、装置の姿勢を検出して、装置が記録可能な姿勢か、再生可能な姿勢か、あるいは記録にも再生にも適さない姿勢かを判断し、記録には適さないが、再生可能な姿勢と判断した場合には、自動で再生モードへの切り換えを行い、記録にも再生にも適さない姿勢と判断した場合には、記録を終了することによって、ユーザが記録したデータを確認でき、ユーザの利便性を向上させることができる記録再生装置を提供することを目的とする。
【課題を解決するための手段】
【０００６】
上記目的を達成するために、本発明の記録再生装置は、ユーザの操作に対応するモードを持つ記録再生装置において、入力された信号を記録媒体に記録する記録手段と、前記記録媒体のデータを再生する再生手段と、当該記録再生装置の姿勢を検出する姿勢検出手段と、前記姿勢検出手段の検出結果に基づいて、前記モードを切り換えるモード制御手段とを備えている。
【発明の効果】
【０００７】
本発明の記録再生装置によれば、記録再生装置の姿勢を検出して、記録には適さないが、再生可能な姿勢と判断した場合には、素早く再生モードに切り換わることができるため、ユーザが記録したデータをすぐに確認でき、ユーザの利便性を向上させることができる。
【発明を実施するための最良の形態】
【０００８】
本発明の記録再生装置は、ユーザの操作に対応するモードを持つ記録再生装置において、入力された信号を記録媒体に記録する記録手段と、前記記録媒体のデータを再生する再生手段と、当該記録再生装置の姿勢を検出する姿勢検出手段と、前記姿勢検出手段の検出結果に基づいて、前記モードを切り換えるモード制御手段とを備える構成により、記録再生装置の姿勢を検出して、記録には適さないが、再生可能な姿勢と判断した場合には、素早く再生モードに切り換わることができるため、ユーザが記録したデータをすぐに確認でき、ユーザの利便性を向上させることができる。
【０００９】
上記の構成にかかる記録再生装置において、前記モード制御手段は、前記姿勢検出手段による検出結果と前記モードの切り換えの履歴とに基づき、前記モードを制御するとしても良い。これにより、操作中にモードの切り換えを意図せずに、モードが切り換わる姿勢をとった場合においても、モードを切り換えず、ユーザが意図するモードに記録再生装置を保つことができるため、ユーザの利便性を向上させることができる。
【００１０】
以下、本発明を実施するための最良の形態について、図面を参照しながら説明する。
【００１１】
（実施の形態１）
図１は、本発明の実施の形態１における記録再生装置の構成を示すブロック図である。図１において、１０１は記録再生装置の姿勢を検出するための姿勢検出手段、１０２は姿勢検出手段１０１によって検出した姿勢検出結果から記録再生装置の現在の姿勢を判定する姿勢判定手段、１０３は姿勢判定手段１０２の結果から記録再生装置のモードを切り換えるモード制御手段、１０４はデータを記録するための記録媒体、１０５は入力される映像信号および音声信号を受信する入力信号受信部、１０６は入力信号受信部１０５で受信した信号を記録媒体１０４に記録するための記録手段、１０７は記録媒体１０４に記録されているデータを再生するための再生手段、１０８は再生手段１０７からの入力を表示するための表示装置である。
【００１２】
上記のように構成された本発明の記録再生装置の動作について、図２を参照しながら説明する。まず、電源をオンにすると（Ｓ２０１）、姿勢検出手段１０１によって記録再生装置の姿勢を検出する（Ｓ２０２）。姿勢検出手段１０１の結果から姿勢判定手段１０２によって、現在の記録再生装置の姿勢が記録可能な姿勢であるかどうかを判定する（Ｓ２０３）。例えば記録再生装置が水平方向に向けられ天地も正常な姿勢である時には、記録可能な姿勢と判定し、記録再生装置が垂直方向で地面に向けられた姿勢である時には、記録には適さないが再生可能な姿勢と判定し、記録再生装置が天地逆で水平方向に向けられた姿勢である時には、記録にも再生にも適さない姿勢と判定する。
【００１３】
記録再生装置の姿勢が、記録可能な姿勢であると判断した場合には、記録モードを選択し（Ｓ２０４）、モード制御手段１０３によって、記録再生装置のモードをＳ２０４で選択した記録モードに切り換える（Ｓ２０５）。このとき、再生中であれば、再生手段１０７によって、再生は自動で停止される。記録再生装置が記録に適さない姿勢であると判断した場合には、姿勢検出手段１０１の結果から姿勢判定手段１０２によって、現在の記録再生装置の姿勢が再生可能な姿勢であるかどうかを判定する（Ｓ２０５）。記録再生装置が再生可能な姿勢であると判断した場合には、再生モードを選択し（Ｓ２０７）、モード制御手段１０３によって、記録再生装置のモードをＳ２０７で選択した再生モードに切り換える（Ｓ２０５）。このとき、記録中であれば、記録手段１０６によって、記録は自動で停止される。姿勢判定手段１０２によって、現在の記録再生装置の姿勢が記録にも再生にも適さない姿勢であると判断した場合には、電源をオフにする（Ｓ２０８）。Ｓ２０５において、モード制御手段１０３によって記録再生装置のモードを切り換えると、Ｓ２０５からＳ２０２に戻り、姿勢検出手段１０１によって記録再生装置の姿勢を再び検出し、姿勢に応じてモードを切り換える。このようにして電源をオンにすると、常に姿勢検出手段１０１によって記録再生装置の姿勢を検出し、その検出結果に応じて記録モードと再生モードとを自動で切り換えることが可能であり、記録及び再生のどちらにも適さない姿勢の場合には電源をオフにすることも可能となる。
【００１４】
なお、本実施の形態においては、Ｓ２０３の記録可能な姿勢かどうかの判定を、Ｓ２０６の再生可能な姿勢かどうかの判定よりも先に行っているが、この順番が逆であっても、同時であっても、現在のモードに応じて動的に変わっても良い。例えば、記録チャンスを逃さないということに重点を置く場合には、本実施例の形態のように、記録可能な姿勢であるかどうかを優先的に判定すれば良いが、現在のモードをなるべく継続したいということに重点を置く場合には、現在のモードが記録モードの場合には記録可能な姿勢であるかどうかを優先的に判定し、現在のモードが再生モードの場合には再生可能な姿勢であるかどうかを優先的に判定するといったように、動的に変更しても良い。
【００１５】
また、本実施の形態においては、記録再生装置の姿勢を判定して、その時の装置のモードを、記録モード、再生モードのいずれかとし、それ以外の場合には電源がオフになるとして説明しているが、記録再生装置の姿勢判定方法を定義し、それに対応するモードを定義することにより、姿勢判定手段１０２によって姿勢を判定し、それに対応するモードに変更することにより、モードの数は制限されない。例えば、記録可能な姿勢判定方法だけを定義した記録モードのみの１つであっても良く、また、記録可能な姿勢、再生可能な姿勢、編集可能な姿勢の３つの姿勢判定方法を定義し、それに対応する３つのモード（記録モード、再生モード、編集モード）に切り換えるとしても良い。この場合、Ｓ２０３やＳ２０６のような姿勢の判定をモードの数だけ繰り返して行えば良い。
【００１６】
また、本実施の形態においては、姿勢判定手段１０２は姿勢検出手段１０１で検出した結果から記録再生装置の姿勢を判定し、モードの切り換えを行なうとしたが、姿勢検出手段１０１で検出した結果から判定した前回以前の姿勢や、姿勢判定手段１０２が前回以前の姿勢から最終的に判定した前回以前の姿勢も用いて判定しても良い。例えば、現在の記録再生装置の姿勢だけで判定した場合には、再生モードの姿勢であったとしても、それまでの前５回の最終的な姿勢判定結果が記録モードであった場合には、記録モードと判定するというような形でも良い。
【００１７】
これにより、記録を行っている過程で、ユーザが意図的に地面方向の撮影を行った場合においても、記録モードを継続し、ユーザが意図するモードに記録再生装置を保つことができるため、ユーザの利便性を向上させることができる。
【００１８】
ここで、姿勢検出手段１０１で検出するパラメータとしては、記録再生装置の水平度や垂直度の指標となる角度、前回の姿勢からの動きの変化の指標となる角速度や加速度等が挙げられる。例えば、記録中や再生中の場合には通常記録再生装置の急激な姿勢の変化は少なく、主にモードを切り換える場合に急激な姿勢の変化が見られることから、記録再生装置の角度だけでなく、角速度や加速度にも注目してモードの切り換え判定を行うことも可能である。
【００１９】
また、本実施の形態においては、モード制御手段１０３によって記録再生装置のモードを切り換えるとしたが、現在のモードとＳ２０４やＳ２０７で選択したモードが同じ場合には、モードを切り換えずに現在の状態を保持しても良い。
【００２０】
また、本実施の形態においては、Ｓ２０４からＳ２０５の流れの場合には、モード制御手段１０３によって記録再生装置のモードを記録モードに切り換えるとしたが、モードを記録モードに切り換えると同時に、入力信号受信部１０５からの入力信号を記録手段１０６で記録媒体１０４に記録を開始しても良い。これにより、ユーザが記録開始のためのボタンを押すなどの余分な操作をすることなく、素早く記録を行うことが可能となる。
【００２１】
また、本実施の形態においては、Ｓ２０７からＳ２０５の流れの場合には、モード制御手段１０３によって記録再生装置のモードを再生モードに切り換えるとしたが、モードを再生モードに切り換えると同時に、記録媒体１０４のデータを再生手段１０７によって再生を開始し、表示装置１０８に表示しても良い。例えば、再生モードに切り換わったときに、ユーザが直前に記録した動画や静止画といったデータを再生するようにすると、ユーザが再生開始のためのボタンを押すなどの余分な操作をすることなく、直前に記録したデータを素早く確認することが可能となる。
【００２２】
（実施の形態２）
実施の形態１では、各モードに対応する記録再生装置の姿勢判定方法を定義し、姿勢判定手段１０２によって各モードの姿勢を判定できれば、モードの数に制限はない。しかしながら、モードが多くなった場合には、各モードに対応する記録再生装置の姿勢判定方法を定義することが難しい。そこで、図１と同様の構成で１つの姿勢判定方法で複数のモードを切り換える動作について、図３を参照しながら説明する。まず、電源をオンにすると（Ｓ３０１）、姿勢検出手段１０１によって記録再生装置の姿勢を検出する（Ｓ３０２）。姿勢検出手段１０１の結果から姿勢判定手段１０２によって、現在の記録再生装置の姿勢がモードの切り換えを要求する姿勢であるかどうかを判定する（Ｓ３０３）。記録再生装置の姿勢がモードの切り換えを要求する姿勢ではないと判断した場合には、Ｓ３０３からＳ３０２に戻る。記録再生装置の姿勢がモードの切り換えを要求する姿勢であると判断した場合には、モード制御手段１０３によって、記録再生装置のモードを切り換える（Ｓ３０４）。モード制御手段１０３によって、記録再生装置のモードを切り換えると、Ｓ３０４からＳ３０２に戻り、姿勢検出手段１０１によって記録再生装置の姿勢を再び検出し、姿勢に応じてモードを切り換える。このようにして電源をオンにすると、常に姿勢検出手段１０１によって記録再生装置の姿勢を検出し、その検出結果に応じて複数のモードを自動で切り換えることが可能である。
【００２３】
なお、本実施の形態においては、Ｓ３０４で切り換えるモードの数に制限はなく、切り換えるモードの順番をモード制御手段１０３に設定しておき、その順番に基づいてモードを切り換えれば良い。
【００２４】
また、本実施の形態においては、Ｓ３０４で切り換えるものを「モード」に限定しているが、モード制御手段１０３を置き換えることにより、「モード」以外の条件の切り換えを行っても良い。例えば、モード制御手段１０３を記録画質制御手段に置き換えると「記録画質」の切り換えを行うことも可能であり、また、再生データ制御手段に置き換えると、「再生中のデータ」の切り換えを行うことも可能である。
【００２５】
（実施の形態３）
実施の形態１では記録再生装置の姿勢に応じてモードが決定するという利点があり、また実施の形態２では姿勢に応じてモード以外の他の条件を切り換えることができるという利点がある。そこで、これらの２つの利点を用いるために、２つの形態を組み合わせる形態が考えられる。例えば、記録再生装置のモードを記録モード、再生モードの２つとし、それぞれのモードに対応する記録再生装置の姿勢判定方法と、これらの姿勢判定方法とは異なる条件である切り換え姿勢の３つを定義する。この場合、記録モード、再生モードの切り換えを実施の形態１で行い、記録モードの場合の記録画質の切り換え及び再生モードの場合の再生中データの切り換えを、条件切り換え姿勢を用いて実施の形態２で行う。これにより、モードの切り換え、記録画質の切り換え、再生データの切り換えの３つをボタン操作なしに行うことが可能となる。
【産業上の利用可能性】
【００２６】
本発明の記録再生装置によれば、記録再生装置の姿勢に応じて記録モードや再生モードといったモードを切り換えることができるので、複数のモードを持つディジタルスチルカメラやディジタルビデオカメラ等、広い範囲において有用である。
【図面の簡単な説明】
【００２７】
【図１】本発明の一実施の形態における記録再生装置の構成を示すブロック図
【図２】本発明の一実施の形態における記録再生装置の動作を示すフローチャート
【図３】本発明の他の実施の形態における記録再生装置の動作を示すフローチャート
【符号の説明】
【００２８】
１０１  姿勢検出手段
１０２  姿勢判定手段
１０３  モード制御手段
１０４  記録媒体
１０５  入力信号受信部
１０６  記録手段
１０７  再生手段
１０８  表示装置
【図１】
2007259375.tif 000003
【図２】
2007259375.tif 000004
【図３】
2007259375.tif 000005